(57)【特許請求の範囲】
【請求項１】
撮像部と操作部と画像を表示する表示部とを、少なくとも有する撮像機器において、
前記表示部へ表示する画像を制御する表示制御部と、
撮影者により撮影される撮影画像と撮影者により選択されたサンプル画像とを比較する画像比較部と、
前記撮影画像における撮影時の操作と前記サンプル画像撮影時の操作とを比較する操作比較部と、
前記撮影画像における機材の性能または該機材と連携する連携機器情報と、前記サンプル画像における機材の性能または該機材と連携する連携機器情報と、を比較する機能比較部と、
前記画像比較部、前記操作比較部、および前記機能比較部による比較結果に基づき、前記撮影画像をサンプル画像に近づけるための撮影方法を撮影者にアドバイスするアドバイス部と、を備える
ことを特徴とする撮像機器。
【請求項２】
撮像部と操作部と画像を表示する表示部とを、少なくとも有する撮像機器において、
前記表示部へ表示する画像を制御する表示制御部と、
撮影者により撮影される撮影画像と撮影者により選択されたサンプル画像とを比較する画像比較部と、
前記撮影画像における撮影時の操作と前記サンプル画像撮影時の操作とを比較する操作比較部と、
前記画像比較部及び前記操作比較部による比較結果に基づき、前記撮影画像をサンプル画像に近づけるための撮影方法を撮影者にアドバイスするアドバイス部と、を備え、
前記アドバイス部は、撮影時の操作で前記サンプル画像と同等な操作をおこなうことが出来ないときには、特殊効果に置換えるアドバイスを行う、
ことを特徴とする撮像機器。
【請求項３】
前記操作比較部は、前記撮影時の操作として、前記撮像機器の設定操作または撮影時の撮像機器の撮影時の動き、の少なくともいずれか一つを比較する
ことを特徴とする請求項１または２に記載の撮像機器。
【請求項４】
前記操作比較部は、前記サンプル画像が撮影された際の操作情報を含むサンプル補助情報に基づき、前記サンプル画像と前記撮影画像との撮影時の操作や操作過程を比較する
ことを特徴とする請求項１または２に記載の撮像機器。
【請求項５】
前記アドバイス部は、複数のアドバイス情報の中から推奨するアドバイス情報を選択して決定する
ことを特徴とする請求項１または２に記載の撮像機器。
【請求項６】
前記撮影画像は、当該撮像機器によるライブビュー画像または撮影済みの画像である
ことを特徴とする請求項１または２に記載の撮像機器。
【請求項７】
更に、前記表示制御部は、撮影者に前記サンプル画像を選択させるために、撮影画像と共に、サンプル画像を前記表示部に表示する
ことを特徴とする請求項１または２に記載の撮像機器。
【請求項８】
前記表示制御部は、アドバイス情報を、撮影画像及び選択されたサンプル画像と共に前記表示部に表示する
ことを特徴とする請求項１または２に記載の撮像機器。
【請求項９】
撮像部と操作部と画像を表示する表示部とを、少なくとも有する撮像機器における制御方法において、
撮影者により撮影される撮影画像と撮影者により選択されたサンプル画像とを比較する画像比較ステップと、
前記撮影画像における撮影時の操作と前記サンプル画像撮影時の操作とを比較する操作比較ステップと、
前記撮影画像における機材の性能または該機材と連携する連携機器情報と、前記サンプル画像における機材の性能または該機材と連携する連携機器情報と、を比較する機能比較ステップと、
前記画像比較ステップ、前記操作比較ステップ、および前記機能比較ステップによる比較結果に基づき、前記撮影画像をサンプル画像に近づけるための撮影方法を撮影者にアドバイスするアドバイスステップと、を含む
ことを特徴とする制御方法。
【請求項１０】
撮像部と操作部と画像を表示する表示部とを、少なくとも有する撮像機器における制御方法において、
撮影者により撮影される撮影画像と撮影者により選択されたサンプル画像とを比較する画像比較ステップと、
前記撮影画像における撮影時の操作と前記サンプル画像撮影時の操作とを比較する操作比較ステップと、
前記画像比較ステップ及び前記操作比較ステップによる比較結果に基づき、前記撮影画像をサンプル画像に近づけるための撮影方法を撮影者にアドバイスするアドバイスステップと、を含み、
前記アドバイスステップは、撮影時の操作で前記サンプル画像と同等な操作をおこなうことが出来ないときには、特殊効果に置換えるアドバイスを行う、
ことを特徴とする制御方法。
【請求項１１】
撮像部と操作部と画像を表示する表示部とを、少なくとも有する撮像機器のコンピュータに、
撮影者により撮影される撮影画像と撮影者により選択されたサンプル画像とを比較する画像比較ステップと、
前記撮影画像における撮影時の操作と前記サンプル画像撮影時の操作とを比較する操作比較ステップと、
前記撮影画像における機材の性能または該機材と連携する連携機器情報と、前記サンプル画像における機材の性能または該機材と連携する連携機器情報と、を比較する機能比較ステップと、
前記画像比較ステップ、前記操作比較ステップ、および前記機能比較ステップによる比較結果に基づき、前記撮影画像をサンプル画像に近づけるための撮影方法を撮影者にアドバイスするアドバイスステップと、の各ステップを含む処理を実行させるプログラム。
【請求項１２】
撮像部と操作部と画像を表示する表示部とを、少なくとも有する撮像機器のコンピュータに、
撮影者により撮影される撮影画像と撮影者により選択されたサンプル画像とを比較する画像比較ステップと、
前記撮影画像における撮影時の操作と前記サンプル画像撮影時の操作とを比較する操作比較ステップと、
前記画像比較ステップ及び前記操作比較ステップによる比較結果に基づき、前記撮影画像をサンプル画像に近づけるための撮影方法を撮影者にアドバイスするアドバイスステップと、の各ステップを含む処理を実行させるプログラムであって、
前記アドバイスステップは、撮影時の操作で前記サンプル画像と同等な操作をおこなうことが出来ないときには、特殊効果に置換えるアドバイスを行うことを特徴とする、プログラム。
【発明の詳細な説明】
【技術分野】
【０００１】
本発明は、希望する作品に近づく撮影を可能にする撮像機器に関する。
【背景技術】
【０００２】
撮影される作品の出来は、撮影時の設定条件、撮影動作あるいは使用する撮影機材によって大きく左右される。しかし、如何なる使用機材を用いて、どのような条件で撮影すれば、自分の狙う作品が撮影できるかは、初心者にとっては、難しい問題である。
【０００３】
例えば、撮影画像の画質は、撮影機材や、その各種パラメータ値（ＩＳＯ感度、圧縮率、フラッシュの有無、輝度値等）の組み合わせで決まるが、初心者が、アクセサリを含む適切な機材を選んだり各パラメータを自分のイメージする画質になるように調整するのは困難である。
【０００４】
また、撮影においては、撮影構図も重要な要素になるが、被写体や状況に合わせて的確な機材の取り扱いや、その保持や把持、撮影姿勢や画角を設定するのも、かなりな経験が必要とされる。解決策の１つとして、初心者でも適切な撮影構図を設定できるように、撮影姿勢等をアドバイスする撮像装置が提案されている（特許文献１）。
【先行技術文献】
【特許文献】
【０００５】
【特許文献１】特開２０１４−１７８６５号公報
【発明の概要】
【発明が解決しようとする課題】
【０００６】
特許文献1のように、プロの写真家が撮影した手本（サンプル）画像が提示されると、自分もこのような作品を撮影したい気持ちになる。しかし、手本画像は、撮影者が撮影しようとする現実の被写体や背景とは異なる箇所が多く、また、撮影機材も同じとは限らない。初心者は、手本画像と同じような画像を撮影したくても、どのようにアプローチしてよいか分からない場合が多い。これを解決するためには、個々の場面に応じて、手本画像に近い画像を撮影するための単なるパラメータ設定にとどまらない具体的なアドバイスが必要になる。
本願発明は、上記課題に鑑み、手本画像に近い撮影ができるようトータルに撮影を援助する撮像機器を提供することを目的とする。
【課題を解決するための手段】
【０００７】
上記目的を達成するために、撮像部と操作部と画像を表示する表示部とを、少なくとも有する撮像機器において、前記表示部へ表示する画像を制御する表示制御部と、撮影者により撮影される撮影画像と撮影者により選択されたサンプル画像とを比較する画像比較部と、前記撮影画像における撮影時の操作を前記サンプル画像撮影時の操作と比較する操作比較部と、前記画像比較部と前記操作比較部による比較結果に基づき、前記撮影画像をサンプル画像に近づけるための撮影方法を撮影者にアドバイスするアドバイス部と、を備える。
【発明の効果】
【０００８】
本発明によれば、手本画像に近い撮影ができるようトータルに撮影を援助する撮像機器を提供することができる。
【図面の簡単な説明】
【０００９】
【図１】本発明の第１実施形態の撮像機器におけるハードウェア構成図である。
【図２】第１実施形態のアドバイス処理に関する機能ブロック図である。
【図３Ａ】アドバイス表示処理の手順を説明するフローチャート１である。
【図３Ｂ】アドバイス表示処理の手順を説明するフローチャート２である。
【図４】アドバイス表示の手順を説明するサブルーチンである。
【図５】ボケ調整アドバイスの手順を説明するサブルーチンである。
【図６】ステップＳ２２で表示される画面例である。
【図７】特殊効果がアドバイスとして表示された画面例である。
【図８】特殊なアドバイス表示画面の例である。
【図９】第２実施形態の構成を示すシステム図である。
【発明を実施するための形態】
【００１０】
以下、図面に従って本発明の実施形態を説明する。
〔第１実施形態〕
図１は、本発明の第１実施形態の撮像機器１０におけるハードウェア構成図である。撮像機器１０は、デジタルカメラとも呼ばれるが、動画・静止画いずれの撮影も可能である。
【００１１】
撮像機器１０は、被写体像を画像データに変換して出力する撮像部２０、画像データにＡＷＢ等の処理を施す画像処理部３０、撮像機器１０全体を統括的に制御するＣＰＵ４０、撮影された画像データや後述するサンプル画像等を不揮発的に記憶する記憶部６０、画像データやプログラムを一時記憶するＲＡＭ７０、撮影画像や各種情報を表示する表示部７５及び撮像機器１０の設定や条件が入力される操作部８０を備える。
【００１２】
なお以下で、撮影モードで構図等確認用に出力される画像をライブビュー画像（ＬＶ画像とも略す）と呼び、撮影されて記憶部６０に保存された画像を撮影済画像と呼んで、区別する。ライブビュー画像及び撮影済画像を合わせて、撮影画像とも称す。
【００１３】
また、撮像部２０は、被写体像を結像する光学系２２と、結像された光学像を光電変換する撮像素子を有し撮像素子からの画像信号にＡＤやＡＧＣ等を行う前処理部２４を有する。記憶部６０は、ＣＰＵ４０で実行される制御プログラム６２を、画像データとともに格納する。操作部８０には、撮影を指示するレリースボタンや撮影条件を設定するダイヤル、あるいは、ズーム比を調整するボタン等が含まれる。
【００１４】
図２は、撮像機器１０で実現されるアドバイス表示処理に関する機能ブロック図である。制御部４０ａは、制御プログラム６２を読込んだＣＰＵ４０により実現される機能部である。また、撮像機器１０には、動き検出部９０、動き記憶部９２が設けられる。
【００１５】
動き検出部９０は、加速度センサを有し、加速度センサの出力によって撮像機器１０の動きを検出する。動き検出部９０は、手振れ検出用センサを利用してもよい。動き記憶部９２には、動き検出部９０から出力される動き情報が連続して記憶される。動き記憶部９２は、ＲＡＭ７０の一部であってもよい。動き記憶部９２には、所定時間分（例えば、５秒間）の撮像機器１０の姿勢や動きが記憶される。
【００１６】
記憶部６０は、データを不揮発的に格納するメモリで、例えば、ＨＤＤやフラッシュメモリである。記憶部６０は、前述した制御プログラム６２以外に、撮影画像情報６４、サンプル画像情報６６、サンプル補助情報６７、アドバイス情報６８の各データを格納する。撮影画像情報６４は、撮影済画像のデータであって、制御部４０ａにより記録される撮影画像の情報である。
【００１７】
サンプル画像情報６６は、予め撮影・記録された、サンプル画像のデータである。サンプル画像とは、撮影者に手本として示す画像のことで、手本画像とも呼ぶ。サンプル画像は、プロのカメラマンにより撮影された画像でも良いが、これに限らず、アマチュアにより撮影されてネット経由で取得された画像でもよいし、自分で撮影してサンプル画像として登録した画像であってもよい。
【００１８】
サンプル補助情報６７には、機材記録６７ａ、設定記録６７ｂ、動き記録６７ｃの各データが含まれる。機材記録６７ａは、サンプル画像の撮影に使用した撮影機材の情報である。設定記録６７ｂは、サンプル画像の撮影時の撮像機器の設定情報である。動き記録６７ｃは、サンプル画像の撮影時の撮像機器の動きを示す情報である。
【００１９】
アドバイス情報６８は、撮影画像をサンプル画像に近づけるための具体的な撮影方法の情報である。アドバイス情報６８は、例えば、「感度を上げろ」、「もっと近づけ」、「早く動かせ」、「高速シャッターにしろ」、「機材を変えろ」等々である。
【００２０】
制御部４０ａは、記録制御部４２、画像加工部４４、表示制御部４６、撮影制御部４８、画像特徴判定部５０、画像比較部５１、機材検出部５２、機能限界判定部５３、機能比較部５４、設定検出部５５、操作判定部５６、操作比較部５７及びアドバイス選択部５８を機能部として有する。
【００２１】
記録制御部４２は、画像処理部３０から出力された画像データを、記憶部６０に撮影済画像（保存画像）として記録するよう制御する。画像加工部４４は、撮影者の操作部８０からの指示に基づき、撮影画像（ライブビュー画像あるいは撮影済画像）の加工を行う。特に、画像加工部４４は、特殊効果処理や特殊撮影を行う。表示制御部４６は、画像処理や画像加工されたライブビュー画像や撮影済画像、あるいは撮影情報や撮影メニュー等々を表示部７５に表示する。
【００２２】
撮影制御部４８は、操作部８０の設定に応じて、撮影条件（撮影モード、撮影開始指示、ズーム比、感度設定、画質設定等々）を制御する。また、撮影制御部４８は、不図示のＡＥ部やＡＦ部の制御も行う。
【００２３】
画像特徴判定部５０は、撮影画像の特徴を判定する。撮影画像の特徴とは、被写体の種類（子供、男、女、動物、花、ビル等々）、主被写体の距離・輝度・色相、主被写体の構図、背景の輝度・色相・解像等々である。画像特徴判定部５０は、撮像部２０から出力される画像データによって画像の特徴を判定するが、画像処理部３０により処理された画像によって判定してもよい。また、画像特徴判定部５０は、撮影済画像からその画像の特徴を判定してもよい。
【００２４】
画像比較部５１は、撮影者により選択されたサンプル画像の「画像の特徴」と、撮影画像の特徴を比較する。具体的には、画像比較部５１は、画像特徴判定部５０で判定された撮影画像の特徴とサンプル画像情報６６の画像の特徴を比較して、被写体のカテゴリが同一であるかや色調・輝度が同等であるかなどを判断する。
【００２５】
機材検出部５２は、撮像機器１０に装着されたフラッシュや交換レンズの種類を検出する。機能限界判定部５３は、機材検出部５２によって検出された機材情報に基づき、現撮像機器１０の機能の限界（シャッター速や絞りの範囲、レンズの明るさ）を判定する。
【００２６】
機能比較部５４は、現撮像機器１０とサンプル画像撮影に使用された撮像機器の機能を比較する。機能比較部５４は、機能限界判定部５３の判定結果と、機材記録６７ａを比較する。
【００２７】
設定検出部５５は、撮像機器１０に設定された撮影条件等を検出する。設定検出部５５は、操作部８０への設定入力により、各種設定を検出する。操作判定部５６は、動き記憶部９２及び設定検出部５５に基づき、撮影画像における「撮影時の操作」を判定する。詳しくは、操作判定部５６は、操作部８０による「撮像機器設定の操作（以下で、設定操作と略す）」、及び撮像機器の「撮影時の動き」の両方に基づき、「撮影時の操作」を判定する。
【００２８】
「撮像機器設定の操作（設定操作）」とは、撮影条件（撮影モード、撮影開始指示、ズーム比、感度設定、画質設定等々）の設定に関する操作である。撮像機器の「撮影時の動き」とは、例えば、撮像機器の構え方（例えば、上向き、下向き）、撮像機器の動かし方（パンのスピードやパンの方向）である。撮像機器の動かし方は、特にパノラマ撮影時や、流し撮り撮影時に重要である。
【００２９】
撮像機器の構え方や動かし方は、動き検出部９０から出力される動き情報により判定する。なお、操作判定部５６は、「設定操作」と「撮影時の動き」のいずれか一方だけで、「撮影時の操作」を判定してもよい。例えば、「撮影時の動き」が取得される撮影画像の内容に影響しない場合には、操作判定部５６は、「設定操作」だけで、判定してもよい。
【００３０】
操作比較部５７は、操作判定部５６により判定された現撮像機器１０の「撮影時の操作」と、サンプル画像の設定記録６７ｂ及び動き記録６７ｃを比較する。具体的には、操作比較部５７は、現撮像機器１０での「設定操作」と設定記録６７ｂを対比し、現撮像機器１０での「撮影時の動き」と動き記録６７ｃを対比する。
【００３１】
アドバイス選択部５８は、画像比較部５１、機能比較部５４及び操作比較部５７で比較した各結果に基づき、撮影画像をサンプル画像に近づけるための推奨する撮影方法に関するアドバイスを、記憶部６０のアドバイス情報６８の中から選択して決定する。
【００３２】
選択して決定されたアドバイス情報は、表示制御部４６によって、表示部７５に表示される。アドバイス選択部５８は、アドバイス部とも呼ぶ。アドバイス選択部５８は、複数のアドバイス情報を組み合わせ、あるいはアレンジして、表示させるアドバイスを生成してもよい。
【００３３】
撮像部で得られる画像情報とサンプル画像を比較し、２つの画像の特徴を比較し、類似点や相違点を判定し、相違点を減らすような操作をユーザに行わせるようなアドバイスを出すようにすれば、ユーザはサンプル画像に近い画像（イメージに近い画像）を取得、観察、撮影などが出来るはずである。より適切なアドバイスを出すためには、現在の画像とサンプル画像との画像だけの比較ではなく、上述した画像以外の他の条件も考慮することが、必要である。上述した画像以外の他の条件を整理すると、以下のようになる。
【００３４】
まず、第１に、機能比較部５４による機材の機能比較結果が考慮される。画像は、機材の機能、性能、あるいは連携する連携機材、アクセサリ等によって制限される。そのため、機能比較部５４は、撮影機材の検出によって利用中の機材（機能、性能限界）とサンプル画像の機材を比較する。
【００３５】
第２に、操作比較部５７による「設定操作」の比較結果が考慮される。具体的には、現撮像機器１０の各種パラメータとサンプル画像の撮像機器の各種パラメータ（サンプル補助情報６７の設定記録６７ｂ）との比較結果が考慮される。
【００３６】
第３に、操作比較部５７による「撮影時の動き」の比較結果が考慮される。撮影や観察は、単に各種パラメータの設定や、機材やアクセサリ等連携機器、システムを、サンプル画像と揃えれば同様な撮影が出来るとは限らない。撮像機器、装置や連携機材を適正に動かすことで、ようやく出来る撮影や観察もある。このような撮影では、撮像機器１０の動き情報と、サンプル補助情報６７に含まれる動き記録６７ｃと照らし合わせることが必要になる。
【００３７】
以上のように、画像比較部５１による画像比較に加えて、「設定操作」や「撮影時の動き」等の操作比較を行うことで、アドバイス選択部５８は、アドバイスの精度をアップさせることができる。サンプル画像が撮影された際の操作情報であるサンプル補助情報６７に基づき、前記サンプル画像と前記撮影画像との撮影時の操作や操作過程を比較してアドバイスを出す撮像機器を利用することで、画像取得（撮影）ノウハウなども共有して撮影や観察を楽しむことが出来る。
【００３８】
なお、アドバイス選択部５８は、画像比較、機能比較、操作比較（設定操作や撮影時の動き）の全ての項目に基づきアドバイスを決定する必要はなく、適宜比較する項目を選択するようにしてもよい。例えば、アドバイス選択部５８は、画像比較と機能比較のみで、アドバイスを選択してもよく、個々のサンプル画像の内容に応じて選択すればよい。
【００３９】
図３Ａ、図３Ｂは、アドバイス表示処理の手順を説明するフローチャート１，２である。アドバイス表示処理は、主に、制御部４０ａによって制御される。最初に、制御部４０ａの機能限界判定部５３は、撮像機器１０の機材状態として、機材検出部５２によって、装着されているアクセサリと機能限界を判定する（ステップＳ１０）。
【００４０】
アクセサリとは、照明用のフラッシュや、撮像機器１０がレンズ交換カメラの場合には装着される交換レンズである。機能限界とは、現撮像機器１０における絞り・シャッター速・ＩＳＯ感度等の可変範囲、あるいは、内蔵されている特殊撮影や特殊効果の種類である。
【００４１】
制御部４０ａは、撮像機器１０の動作モードが鑑賞モードであるかを判断する（ステップＳ１２）。機器の動作モードは、操作部８０に含まれるモードボタンで切換えられる。動作モードとしては、鑑賞モード以外に、撮影モード、再生モード、通信モード等が用意される。
【００４２】
制御部４０ａは、機器の動作モードが鑑賞モードでない、例えば、撮影モードであると判断すると（ステップＳ１２Ｎｏ）、撮影モードを開始し、ライブビュー（ＬＶ）画像を表示部７５に表示する（ステップＳ１４）。なお、制御部４０ａは、機器のモードが鑑賞モードであると判断した場合（ステップＳ１２Ｙｅｓ）、図３Ｂに進む。鑑賞モードの詳細は後述する。
【００４３】
ライブビュー画像の表示中に、制御部４０ａは、撮影者の動き(カメラワーク)を動き検出部９０で検出し、動きのデータを動き記憶部９２に記録する（ステップＳ１６）。また、ライブビュー画像の表示中に、制御部４０ａは、被写体の動きや変化も記憶部６０やＲＡＭ７０の所定のエリアに記録しておく（ステップＳ１８）。
【００４４】
制御部４０ａは、ライブビュー画像の表示中に、アドバイス表示を行うか判断する（ステップＳ２０）。アドバイス表示を行わせるか否かは、ユーザが自ら選択する。また、ユーザの選択とは別に、状況に応じて、自動的にアドバイス表示を行わせるようにしてもよい。例えば、撮影時の動かし方が決め手となる「流し撮り」の場合である。また、初めて機器を使う場合にも、アドバイスを表示するようにしてよい。アドバイス表示を希望する場合には、ユーザはアドバイス表示ボタンを押下する。アドバイス表示ボタンは、不図示であるが、操作部８０に含まれるボタンである。
【００４５】
制御部４０ａは、アドバイス表示を行うと判断すると（ステップＳ２０Ｙｅｓ）、サンプル画像を表示する（ステップＳ２２）。
【００４６】
制御部４０ａは、記憶部６０からサンプル画像情報６６を読み出して、表示部７５に表示する。制御部４０ａは、記憶部６０のサンプル画像情報６６の中から、ランダムにサンプル画像を選択して表示しても良いし、以前に使用したサンプル画像を優先的に表示するようにしてもよい。また、制御部４０ａは、ライブビュー画像の被写体の種類を画像特徴判定部５０で判定させて、ライブビュー画像の被写体の種類（例えば、犬）と関連する被写体の種類のサンプル画像を、サンプル補助情報６７に基づいて選択して、優先的に表示するようにしてもよい。
【００４７】
図６は、ステップＳ２２で表示部７５に表示される画面例である。画面中央に大きいサイズで、ライブビュー画像Ｌが表示され、ライブビュー画像Ｌの下に、３枚のサンプル画像（ＳＰ１、ＳＰ２、ＳＰ３）が横一列に表示される。撮影者は、気に入ったサンプル画像がなければ、操作してサンプル画像を順番に切換えていくことができる。また、気に入ったサンプル画像を予め登録しておいて、呼び出すようにしてもよい。
【００４８】
撮影者は表示部７５の画面を見て、手本にしたいサンプル画像が表示されたら、これを選択する。制御部４０ａは、撮影者によりサンプル画像が選択されたかを判断する（ステップＳ２４）。制御部４０ａは、撮影者によりサンプル画像の選択が中止されたような場合には（ステップＳ２４Ｎｏ）、ステップＳ３０に進む。
【００４９】
制御部４０ａは、サンプル画像が選択されたと判断すると（ステップＳ２４Ｙｅｓ）、画像比較部５１、機能比較部５４及び操作比較部５７は、それぞれ選択されたサンプル画像とライブビュー画像を比較する（ステップＳ２６）。
【００５０】
画像比較部５１は、選択されたサンプル画像とライブビュー画像の「画像の特徴」を比較する。画像比較部５１は、画像特徴判定部５０からライブビュー画像の「画像の特徴」を取得する。画像比較部５１は、サンプル画像情報６６から、選択されたサンプル画像の「画像の特徴」を抽出し、ライブビュー画像の「画像の特徴」と比較する。
【００５１】
機能比較部５４は、選択されたサンプル画像とライブビュー画像の機材を比較する。機能比較部５４は、機能限界判定部５３の判定結果から現撮像機器１０の機材情報を取得する。機能比較部５４は、サンプル補助情報６７の機材記録６７ａから、選択されたサンプル画像の撮影機材の情報を読み出し、取得した現撮像機器１０の機材情報と比較する。
【００５２】
操作比較部５７は、選択されたサンプル画像とライブビュー画像の「撮影時の操作」を比較する。前述のように、「撮影時の操作」とは、撮像機器１０の「設定の操作（設定操作）」と、撮像機器１０の「撮影時の動き」である。
【００５３】
操作判定部５６は、動き記憶部９２及び設定検出部５５に基づき、撮影画像における「撮影時の操作」を判定し、操作比較部５７は、操作判定部５６の判定結果からライブビュー画像の「撮影時の操作」を取得する。そして、操作比較部５７は、サンプル補助情報６７の設定記録６７ｂと動き記録６７ｃから、選択されたサンプル画像の「撮影時の操作」を読み出し、取得したライブビュー画像の「撮影時の操作」と比較する。そして、制御部４０ａは、画像の特徴と機材と撮影時の操作の、それぞれの比較結果に基づきアドバイス表示を行う（ステップＳ２８）。
【００５４】
図４は、アドバイス表示のサブルーチンである。制御部４０ａは、操作開始前かを判断する（ステップＳ８０）。操作開始前とは、撮影モードや鑑賞モードにカメラが設定されていない状態である。制御部４０ａは、操作開始前であると判断すると（ステップＳ８０Ｙｅｓ）、サンプル画像固有のアドバイスの表示を行う（ステップＳ８２）。ステップＳ８２の後は、元のフローチャートに戻る。サンプル画像固有のアドバイスとは、サンプル画像が人のポートレート写真であれば、「フラッシュを使用しない」とか、「背景をぼかす」、あるいは、「顔向きを少し変化させる」等の、アドバイスである。
【００５５】
制御部４０ａは、操作開始後であると判断すると（ステップＳ８０Ｎｏ）、サンプル画像と撮影画像の比較を行い、その比較結果により両者の相違点を判定し、相違点に基づき、アドバイスを表示する。相違点には、色々な項目があるので、以下では、代表的な相違点と対応するアドバイスの例につき説明する。
【００５６】
操作比較部５７は、比較結果に基づき、サンプル画像と撮影画像における「撮影時の操作」の中の「撮影時の動き」に差異があるかを判断する（ステップＳ８４）。前述のように、「撮影時の動き」とは、撮像機器の動かし方や撮影姿勢である。操作比較部５７は、サンプル補助情報６７の設定記録６７ｂ及び動き記録６７ｃと、操作判定部５６の結果に基づき、比較する。
【００５７】
操作比較部５７は、「撮影時の動き」に所定の差異があると判断すると（ステップＳ８４Ｙｅｓ）、アドバイス選択部５８は、サンプル画像の「撮影時の動き」との差異に応じて、「撮影時の動き」に関するアドバイスを表示部７５に表示する（ステップＳ８６）。アドバイス選択部５８は、アドバイス情報６８を参照して適当なアドバイスを探して、表示する。
【００５８】
例えば、流し撮りモードで、サンプル画像のパンの速度に比べて、撮影画像のパンの速度が遅い場合に、アドバイス選択部５８は、アドバイスとして、パンの速度を速めるよう表示する。また、サンプル画像のカメラアングル（ローアングルやハイアングル）と違う場合にも、アドバイス選択部５８は、違いを表示する。
【００５９】
アドバイス選択部５８は、「撮影時の動き」に所定の差異がないと判定すると（ステップＳ８４Ｎｏ）、ステップＳ８８に進む。
【００６０】
次に、画像比較部５１は、サンプル画像と撮影画像のそれぞれの特徴を比較して、サンプル画像と撮影画像のカテゴリが同一であるかを判断する（ステップＳ８８）。カテゴリとは、ポートレートや風景等の撮影の種類、あるいは、子供・犬といった具体的な被写体の種類でもよい。画像比較部５１は、カテゴリが同一であると判断すると（ステップＳ８８Ｙｅｓ）、主被写体の画面内での位置や向きや大きさが異なるかを判断する（ステップＳ９０）。
【００６１】
画像比較部５１は、主被写体の画面内での位置や向きや大きさが異なると判断すると（ステップＳ９０Ｙｅｓ）、アドバイス選択部５８は、例えば、光学ズームをアドバイスする（ステップＳ９２）。アドバイス選択部５８は、サンプル画像に比べて、撮影画像の被写体の画面内での割合が小さい場合には、ズームアップ指示のアドバイスをし、逆の場合には、ズームダウン指示のアドバイスを表示する。
【００６２】
画像比較部５１が、カテゴリが同一ではないと判断した場合には（ステップＳ８８Ｎｏ）、ステップＳ９４に進む。被写体のカテゴリが違う場合には、被写体の位置や大きさを揃えることは無意味だからである。画像比較部５１が、位置や向きや大きさが異ならないと判断した場合には（ステップＳ９０Ｎｏ）、ステップＳ９４に進む。また、ステップＳ９２の後、ステップＳ９４に進む。
【００６３】
画像比較部５１は、サンプル画像と撮影画像の背景ボケが異なるかを判断する（ステップＳ９４）。画像比較部５１は、サンプル画像情報６６と画像特徴判定部５０による判定の結果に基づき、背景ボケの差異について判断する。
【００６４】
画像比較部５１は、サンプル画像と撮影画像の背景ボケが異なると判断すると（ステップＳ９４Ｙｅｓ）、アドバイス選択部５８は、ボケ調整アドバイスを行う（ステップＳ９６）。
【００６５】
図５は、ボケ調整アドバイスの手順を説明するサブルーチンである。機能比較部５４は、現在の撮像機器１０がサンプル画像と同様な機能があるかを判断する（ステップＳ１１０）。つまり、ボケの調整に必要な撮像機器のパラメータ（具体的には、レンズの焦点距離、レンズの絞りやシャッター速）を、サンプル画像と同一値に設定できるかを、機能比較部５４は判断する。ステップＳ１０で、機能限界判定部５３は、撮像機器１０の機材状態として、装着されているアクセサリと機能限界を判定しているので、これを利用する。機能比較部５４は、機能限界判定部５３の判定結果とサンプル補助情報６７の機材記録６７ａを参照して、サンプル画像と撮影画像の「機能」を比較する。
【００６６】
機能比較部５４は、機能に余裕があり、サンプル画像と同様な操作が可能であると判断すると（ステップＳ１１０Ｙｅｓ）、アドバイス選択部５８は、アドバイス情報６８を参照して、サンプル画像と同様な操作をするようなアドバイスを選択し、制御部４０ａは選択されたアドバイスを表示部７５に表示する（ステップＳ１１２）。例えば、サンプル画像に比べてＦ値が明るい場合には、Ｆ値を下げるようアドバイスをする。
【００６７】
機能比較部５４によって、サンプル画像と同様な機能はないと判断すると（ステップＳ１１０Ｎｏ）、操作比較部５７は、撮影者が被写体により近づけるかを判断する（ステップＳ１１４）。撮影画像の背景ボケがサンプル画像に比べて足りない場合には、現在が最至近距離でなければ、より被写体に近づいて撮影することで、背景を更にぼかすことができるからである。
【００６８】
操作比較部５７が、被写体により近づけると判断すると（ステップＳ１１４Ｙｅｓ）、アドバイス選択部５８は、アドバイス情報６８を参照して、被写体により近づくようなアドバイスを選択し、制御部４０ａは近づくアドバイスを表示部７５に表示する（ステップＳ１１６）。
【００６９】
操作比較部５７が、現撮影距離の値から撮影者が被写体に近づくことができないと判断すると（ステップＳ１１４Ｎｏ）、アドバイス選択部５８は、アドバイス情報６８を参照して、例えば、画像加工のアドバイスを選択し、制御部４０ａはそのアドバイスを表示部７５に表示する（ステップＳ１１８）。画像加工とは、例えば、主被写体と背景を別々に撮影した画像を貼り合わせて１枚の画像を合成する処理である。画像加工は、画像加工部４４により行われる。
【００７０】
制御部４０ａは、ライブビュー画像から加工された画像を作例として、ライブビュー画像と共に表示部７５に表示する（ステップＳ１２０）。画像加工部４４が、ライブビュー画像から合成画像を作成して、作例とする。
【００７１】
制御部４０ａは、加工の作例を見た撮影者からＯＫが入力されたかを判断する（ステップＳ１２２）。制御部４０ａは、撮影者からＯＫが入力されたと判断すると（ステップＳ１２２Ｙｅｓ）、画像加工部４４により画像処理された画像をライブビュー画像として表示部７５に表示する（ステップＳ１２６）。
【００７２】
制御部４０ａは、撮影者からＯＫが入力されないと判断すると（ステップＳ１２２Ｎｏ）、アドバイス選択部５８は、お勧め機材の紹介を行う（ステップＳ１２４）。ボケは、レンズや絞り値に大きく依存し、画像加工や撮影条件の設定による調整には、限界があるからである。ステップＳ１１２、ステップＳ１１６、ステップＳ１２４、ステップＳ１２６の後、図４のステップＳ９８に進む。
【００７３】
図４に戻る。また、画像比較部５１は、サンプル画像と撮影画像の背景ボケが異ならないと判断すると（ステップＳ９４Ｎｏ）、ステップＳ９８に進む。画像比較部５１は、サンプル画像と撮影画像の色調・画像処理が異なるかを判断する（ステップＳ９８）。
【００７４】
画像比較部５１は、色調・画像処理が異なると判断すると（ステップＳ９８Ｙｅｓ）、アドバイス選択部５８は、適当な設定操作のアドバイスを選択し（ステップＳ１００）、選択されたアドバイスが表示される。さらに、アドバイス選択部５８は、設定操作や機器操作など通常の差異調整を全て行った後でも、画像を比較して差異があるかを判断する（ステップＳ１０２）。
【００７５】
アドバイス選択部５８は、設定操作や機器操作など通常の差異調整を全て行った後でも、画像を比較して差異があると判断すると（ステップＳ１０２Ｙｅｓ）、制御部４０ａは、置換え手段があるかを判断する（ステップＳ１０４）。
【００７６】
置換え手段とは、撮像機器１０に搭載された特殊効果や特殊撮影を利用することである。特殊効果や特殊撮影によっても、色調・画面の調子を変化させることができるからである。特殊効果とは、例えば、ソフトフォーカス処理や、コントラスト強調処理である。また、特殊撮影とは、例えば、ピント位置を変えた複数の画像を合成して、画面全体にピントの合った画像を生成する撮影である。
【００７７】
なお、撮影者が、これまで特殊効果や特殊撮影を使用した経験がなければ、これらを利用することでサンプル画像と同等な色調や雰囲気を再現できることを体験する良い機会なので、積極的にアドバイスするようにしてもよい。制御部４０ａは、撮像機器１０の操作の履歴を記憶部６０に保存しておき、記憶部６０で操作の履歴を参照すればよい。
【００７８】
制御部４０ａが、置換え手段があると判断すると（ステップＳ１０４Ｙｅｓ）、アドバイス選択部５８は、アドバイス情報６８を参照して、サンプル画像と同等な色調や雰囲気を再現できる特殊効果や特殊撮影があれば、その種類や項目をアドバイスとして選択する（ステップＳ１０６）。
【００７９】
図７は、ステップＳ１０２のアドバイスが表示された画面例である。画面には、ライブビュー画像Ｌとサンプル画像ＳＰ４とともに、「置換え手段で解決する」というアドバイスＡＤ１が、表示される。ＡＤ２は、「置換え」を動作させるボタンである。撮影者が、ＡＤ２にタッチすると、ライブビュー画像Ｌに所定の特殊効果が施された画像や特殊撮影された画像が表示される。
【００８０】
画像比較部５１は、色調・画像処理が異ならないと判断する場合（ステップＳ９８Ｎｏ）や、ステップＳ１０２Ｎｏの後、あるいは制御部４０ａで置換え手段がないと判断する場合には（ステップＳ１０４Ｎｏ）、ステップＳ１０８に進む。
【００８１】
図４のフローチャートでは、最終段階で置換え手段の実行を指示しているが、撮影前に置換え手段を実行するように設定しておくことで、通常の設定操作と同時に特殊効果を操作するようにしても良い。例えば、撮影機材の違いによって背景ボケがサンプル画像と同じにできない場合に、絞り値操作の延長上に特殊効果（例えば、ソフトフォーカス処理）のボケ効果を配置し連続して操作することである。
【００８２】
アドバイス選択部５８は、サンプル画像との差異の大きい項目を探し、差異の大きい項目のアドバイスを選択する。そして、制御部４０ａは差異の大きい項目のアドバイスを優先して表示する（ステップＳ１０８）。
【００８３】
上記ステップＳ８０〜Ｓ１０２では、種々の項目を代表して「撮影時の動き」、「カテゴリ」、「背景ボケ」、「色調・画像処理」に対するアドバイスを説明したが、これ以外の項目についても、アドバイスがなさるようにしてもよい。しかし、差異のある項目の全てにつき、アドバイスが表示されると、かえって煩雑になる可能性がある。そこで、ステップＳ１０８のように、差異の大きい項目につき優先してアドバイスすれば、効率的に撮影画像をサンプル画像に近づけることができる。また、差異の大きい順に所定数の項目（例えば２つ）だけを、アドバイスするようにしてもよい。
【００８４】
図３Ａに戻る。また、制御部４０ａは、アドバイス表示ボタンが押下されないと判断すると（ステップＳ２０Ｎｏ）、ステップＳ３０に進む。制御部４０ａは、撮影者により操作部８０から何らか操作がされたかを判断する（ステップＳ３０）。制御部４０ａは、何らか操作がされたと判断すると（ステップＳ３０Ｙｅｓ）、撮影制御部４８は、操作に応じてパラメータ等を変更する（ステップＳ３２）。制御部４０ａは、何らか操作がされていないと判断すると（ステップＳ３０Ｎｏ）、ステップＳ３４に進む。
【００８５】
制御部４０ａは、操作部８０に含まれるレリースボタンで撮影指示がされたかを判断する（ステップＳ３４）。制御部４０ａは、撮影指示がされないと判断すると（ステップＳ３４Ｎｏ）、ステップＳ４２に進む。
【００８６】
制御部４０ａは、撮影指示がされたと判断すると（ステップＳ３４Ｙｅｓ）、制御部４０ａは、撮影処理を実行する（ステップＳ３６）。記録制御部４２は、撮影画像と関連情報を記憶部６０に記録する（ステップＳ３８）。関連情報は、例えば、撮影機材の種類、設定操作（撮影条件）及び撮影時の動き（撮像機器の構え方や撮像機器の動かし方）である。「撮影時の動き」として、制御部４０ａは、ステップＳ１６で動き記憶部９２に記録された情報を記録する。撮影画像と関連情報は、記憶部６０に撮影画像情報６４として記録される。
【００８７】
アドバイス選択部５８は、必要に応じてあるいは指示に従って、アドバイス情報を表示する（ステップＳ４０）。例えば、撮影実行前にサンプル画像を選択してステップＳ２８のアドバイス表示をさせたような場合である。一例として、サンプル画像を使って流し撮り撮影が行われた場合には、現に行われた流し撮り時の動かし方を、サンプル画像の動かし方と比較して、アドバイスを表示する。アドバイス表示をさせずに撮影が実行された場合には、制御部４０ａは、アドバイス表示を行わないようにしてもよい。
【００８８】
制御部４０ａは、操作部８０の操作が一定時間行われずに、スタンバイ状態になったかを判断する（ステップＳ４２）。制御部４０ａは、スタンバイ状態になっていないと判断すると（ステップＳ４２Ｎｏ）、ステップＳ１２に戻る。制御部４０ａは、スタンバイ状態になったと判断すると（ステップＳ４２Ｙｅｓ）、省電モードに移行する（ステップＳ４４）。
【００８９】
ステップＳ１２に戻る。制御部４０ａは、鑑賞モードであると判断すると（ステップＳ１２Ｙｅｓ）、図３ＢのステップＳ５０に進む。鑑賞モードとは、撮影済画像に対応するアドバイスを表示させるモードである。撮影済画像でサンプル画像に近づくための手法を学んでおけば、次の撮影時に生かすことができるからである。
【００９０】
制御部４０ａは、撮影済画像のサムネイル画像を表示部７５に表示する（ステップＳ５０）。サムネイル画像は、記憶部６０の撮影画像情報６４から読み出した画像である。撮影者は、操作部８０によりスクロールして、サンプル画像と比較したい撮影済画像を探す。撮影者は、比較したい画像が見つかったら、その画像の選択を指示するボタンを押下する。
【００９１】
制御部４０ａは、サンプル画像と比較したい撮影済画像が選択されたかを判断する（ステップＳ５２）。制御部４０ａは、撮影済画像が選択されないと判断すると（ステップＳ５２Ｎｏ）、ステップＳ６６に進む。制御部４０ａは、撮影済画像が選択されたと判断すると（ステップＳ５２Ｙｅｓ）、サムネイル状態で選択された画像を拡大表示する（ステップＳ５４）。
【００９２】
制御部４０ａは、アドバイス表示指示がされたかを判断する（ステップＳ５６）。制御部４０ａは、操作部８０に含まれる所定のボタンが押下されたら、アドバイス表示指示がされたと判断する。制御部４０ａは、アドバイス表示指示がされたと判断すると（ステップＳ５６Ｙｅｓ）、サンプル画像情報６６によりサンプル画像を表示する（ステップＳ５８）。図６に示したような画面で、ライブビュー画像Ｌの替りに、選択された撮影済画像が表示される。なお、制御部４０ａは、操作部８０からの指示に応じて表示するサンプル画像を切換えていく。
【００９３】
制御部４０ａは、アドバイス表示指示がされないと判断すると（ステップＳ５６Ｎｏ）、ステップＳ６６に進む。
【００９４】
制御部４０ａは、サンプル画像が選択されたかを判断する（ステップＳ６０）。制御部４０ａは、サンプル画像が選択されていないと判断すると（ステップＳ６０Ｎｏ）、ステップＳ６６に進む。
【００９５】
制御部４０ａは、サンプル画像が選択されたと判断すると（ステップＳ６０Ｙｅｓ）、画像比較部５１は、選択された撮影済画像と選択されたサンプル画像を比較する（ステップＳ６２）。ステップＳ２６と同等な処理であるので、説明は省略する。
【００９６】
アドバイス選択部５８が、比較結果によりアドバイスを選択し、制御部４０ａはアドバイス表示を行う（ステップＳ６４）。比較結果によるアドバイス表示は、図４、図５のサブルーチンで示す処理である。図４、図５のサブルーチンについては、ステップＳ２８で説明したので省略する。
【００９７】
制御部４０ａは、撮影者から鑑賞モードの終了が指示されたかを判断する（ステップＳ６６）。制御部４０ａは、鑑賞モードの終了が指示されたと判断すると（ステップＳ６６Ｙｅｓ）、ステップＳ４２に進む。制御部４０ａは、撮影者から鑑賞モードの終了が指示されていないと判断すると（ステップＳ６６Ｎｏ）、撮影者から戻る指示がされたかを判断する（ステップＳ６８）。制御部４０ａは、撮影者から戻る指示がされていないと判断すると（ステップＳ６８Ｎｏ）、ステップＳ６０に戻る。制御部４０ａは、撮影者から戻る指示がされたと判断すると（ステップＳ６８Ｙｅｓ）、ステップＳ５２に戻る。
【００９８】
以上のように、第１実施形態による撮像機器１０によれば、手本とするサンプル画像を選択することで、現撮影条件等をどのように変更すればサンプル画像のような画像が撮影できるかのアドバイスが表示される。アドバイスに従って撮影することで、自分の写真を狙い通りの画像あるいは思い通りの画像に近づけることができる。また、サンプル画像を閲覧することで、色々な撮影テクニックを勉強することもできる。
【００９９】
また、サンプル画像には、そのサンプル画像の撮影に必要な「撮影時の動き（撮像機器の構え方や撮像機器の動かし方）」の情報も含まれているので、自分の行った「撮影時の動き」の適否もアドバイスを受けることができる。このような「撮影時の動き」は、通常、写真セミナ等に行かないと、身につけることが難しいが、第１実施形態による撮像機器１０を使用することで、写真セミナで教わるような初心者には難しい流し撮りテクニックのレッスンを受けることができる。
【０１００】
また、特殊なアドバイス表示画面の例を図８に示す。図８は、撮像機器１０の一例である内視鏡カメラによる、挿入時の画面例である。サンプル画像は、スコープ先端のカメラが体内へ挿入される際の動画像である。ライブビュー画像Ｌが大きな画面で表示され、同時にサンプル画像ＳＰ５とアドバイスＡＤ３が表示される。アドバイスＡＤ３として「操作速すぎ」という注意が表示される。
【０１０１】
この場合には、操作比較部５７が、サンプル画像の動き記録６７ｃに含まれる体内へのスコープの挿入速度と現撮影の挿入速度とを比較して、現撮影の挿入速度が速すぎると判断する。そして、アドバイス選択部５８が、操作比較部５７の判断に対応して、アドバイス情報２６からアドバイスＡＤ３のようなアドバイスを選択することで、図８のようなアドバイスが表示される。
【０１０２】
〔第２実施形態〕
第２実施形態は、ネットワーク経由でサーバに保管されたサンプル画像やアドバイス情報を利用して、アドバイス表示を行う例である。図９は、第２実施形態の構成を示すシステム図である。
【０１０３】
本例では、撮像機器１００として、カメラ部１２０（光学系）が本体部２００と別体化されものを例にする。カメラ部１２０と本体部２００がＷｉＦｉやブルートゥース（登録商標）等で通信されて、撮像機器１００を構成する。なお、本体部はスマートフォーンであっても良い。本体部２００は、サンプル画像が保管されたサーバ４００にネットワーク３００経由で接続され、サーバ４００からサンプル画像やアドバイス情報を通信で入手して利用する。
【０１０４】
撮像機器１００は、カメラ部１２０と本体部２００から構成される。カメラ部１２０は、撮像部１３０と通信部１４０を有する。撮像部１３０は、第１実施形態の撮像部２０と同様に、被写体像を結像する光学系と、結像された光学像を光電変換する撮像素子を有し撮像素子からの画像信号をＡＤやＡＧＣ等を行う前処理部を有する。
【０１０５】
通信部１４０は、本体部２００と無線（ＷｉＦｉやブルートゥース（登録商標））で各種データの通信を行うものである。通信部１４０は、本体部２００に前処理後の画像信号を送信したり、本体部２００から撮像部１３０への制御信号、例えば撮像素子への制御信号や光学系のズーム・絞りの調整信号を受信する。
【０１０６】
本体部２００のハードウェア構成は、図１から撮像部２０を除いた構成と同等であるので、省略する。本体部２００は、画像処理部２３０、制御部２４０ａ、記憶部２６０、表示部２７５、操作部２８０、動き検出部２９０、動き記憶部２９２、本体通信部２９４及び外部通信部２９６を有する。
【０１０７】
画像処理部２３０、表示部２７５、操作部２８０、動き検出部２９０、動き記憶部２９２は、それぞれ第１実施形態の画像処理部３０、表示部７５、操作部８０、動き検出部９０、動き記憶部９２と、同等な機能部であるので説明は省略する。
【０１０８】
制御部２４０ａは、読込んだ制御プログラムに従って不図示のＣＰＵにより実現されるもので、本体部２００を統括的に制御する。制御部２４０ａは、記録制御部２４２、画像加工部２４４、表示制御部２４６、撮影制御部２４８を有する。
【０１０９】
記録制御部２４２、画像加工部２４４、表示制御部２４６及び撮影制御部２４８は、それぞれ第１実施形態の記録制御部４２、画像加工部４４、表示制御部４６及び撮影制御部４８と、同等な機能であるので説明は省略する。
【０１１０】
さらに、制御部２４０ａは、画像特徴判定部２５０、画像比較部２５１、機材検出部２５２、機能限界判定部２５３、機能比較部２５４、設定検出部２５５、操作判定部２５６、操作比較部２５７、アドバイス選択部２５８を有する。そして、画像特徴判定部２５０〜アドバイス選択部２５８は、それぞれ第１実施形態の画像特徴判定部５０〜アドバイス選択部５８と、同等な機能であるので説明は省略する。
【０１１１】
記憶部２６０は、前述した制御プログラム以外に、制御部２４０ａにより記録される撮影画像情報２６４を格納する。本体通信部２９４は、カメラ部１２０の通信部１４０と無線で各種データの通信を行うものである。外部通信部２９６は、ネットワーク３００を経由してサーバ４００と通信を行うもので、特に、サーバ４００にサンプル画像情報とアドバイス情報の要求を送信し、送信されるサンプル画像情報とアドバイス情報を受信する。
【０１１２】
サーバ４００は、通信部４１０と記憶部４２０を有する。サーバ４００は、例えば、画像投稿サイトやＳＮＳの画像を管理するサーバでもよい。通信部４１０は、ネットワーク３００に接続された端末との通信を行う。
【０１１３】
記憶部４２０は、画像データ４２２、サンプル画像情報４２４、アドバイス情報４２６、サンプル補助情報４２７を保管する。画像データ４２２は、会員から提供あるいは投稿された撮影画像のデータである。画像データ４２２の中で、撮影者からサンプル画像として利用することが承認されたデータが、サンプル画像情報４２４である。
【０１１４】
サンプル画像情報４２４は、前述のサンプル画像情報６６と同様に、予め撮影されて、撮影者に手本として示す画像のデータである。サンプル画像情報４２４は、サンプル補助情報４２７を有する。サンプル補助情報４２７には、サンプル補助情報６７と同様に、各サンプル画像を撮影した際の機材記録４２７ａ、設定記録４２７ｂ、動き記録４２７ｃが含まれる。
【０１１５】
アドバイス情報４２６は、アドバイス情報６８と同様に、撮影画像をサンプル画像に近づけるための色々な撮影方法を撮影者にアドバイスするための情報である。
【０１１６】
前述した第１実施形態では、サンプル画像やアドバイス情報が撮像機器１０に格納されていて、撮影者によりアドバイス表示指示がされた場合には（図３ＡのステップＳ２０や図３ＢのステップＳ５６）、撮像機器１０から、必要な情報を読み出して、アドバイスを表示する方式であった。
【０１１７】
これに対して、第２実施形態では、撮像機器は、サンプル画像やアドバイス情報をサーバ４００から取得して、アドバイスを表示する方式である。サンプル画像やアドバイス情報をネットワーク経由で取得する点を除けば、第２実施形態の撮像機器１００によるアドバイス表示処理は、第１実施形態のアドバイス表示処理と同じである。第２実施形態の撮像機器１００によるアドバイス表示処理は、第１実施形態のアドバイス表示処理（図３Ａ、図３Ｂ，図４〜図５）と実質同じであるので、説明は省略する。
【０１１８】
以上説明した第２実施形態の撮像機器１００によれば、サーバに格納されたサンプル画像やアドバイス情報を利用するので、撮像機器内部に格納された情報に比べて、大量でかつ最新の情報を利用することができる。
【０１１９】
なお、以上の実施形態において、制御部４０ａ（または２４０ａ）は、ソフトウェア処理として説明したが、一部あるいは全部をハードウェアで構成してもよい。
【０１２０】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【０１２１】
１０、１００    撮像機器
２０、１３０    撮像部
３０、２３０    画像処理部
４０    ＣＰＵ
４０ａ、２４０ａ  制御部
４２、２４２      記録制御部
４４、２４４      画像加工部
４６、２４６      表示制御部
４８、２４８      撮影制御部
５０、２５０      画像特徴判定部
５１、２５１      画像比較部
５２、２５２      機材検出部
５３、２５３      機能限界判定部
５４、２５４      機能比較部
５５、２５５      設定検出部
５６、２５６      操作判定部
５７、２５７      操作比較部
５８、２５８      アドバイス選択部
６０、４２０      記憶部
６４、２６４      撮影画像情報
６６、４２６      サンプル画像情報
６７、４２７      サンプル補助情報
６８、４２８      アドバイス情報
７０    ＲＡＭ
７５、２７５    表示部
８０、２８０    操作部
９０、２９０    動き検出部
９２、２９２    動き記憶部
１２０  カメラ部
２００  本体部
【図１】
0006506036.tif 000002
【図２】
0006506036.tif 000003
【図３Ａ】
0006506036.tif 000004
【図３Ｂ】
0006506036.tif 000005
【図４】
0006506036.tif 000006
【図５】
0006506036.tif 000007
【図６】
0006506036.tif 000008
【図７】
0006506036.tif 000009
【図８】
0006506036.tif 000010
【図９】
0006506036.tif 000011